(57)【要約】【課題】着脱時に着用者の負担を軽減可能とするとともに、効率的な着脱作業を行うことができる寝間着を得る。【解決手段】後身頃3と、この後身頃3の両側に連続した左右前身頃1,2と、両袖4,5とを備えた寝間着である。そして、左右前身頃1,2の上端縁7と後身頃3の上端縁8、及びこの左右前身頃1,2と後身頃3の上端縁7,8に連続する両袖4,5の上端縁9を、それぞれ前身頃側と後身頃側とに分離可能に形成するとともに、この左右前身頃1,2の上端縁7、後身頃3の上端縁8、及び両袖4,5の上端縁9に係合部17を設け、各対向位置にある係合部17を係合することにより左右前身頃1,2の上端縁7と後身頃3の上端縁8、及び両袖4,5の左右前身頃1,2側の上端縁7と後身頃3側の上端縁9とを接続可能とし、上記係合部17の一端に袖口しるし20を設け、後身頃3には裏面25の幅方向中央に中央しるし21を上下方向に設ける。【選択図】図１
2013119687.tif 000002
【特許請求の範囲】
【請求項１】
後身頃と、この後身頃の両側に連続した左右前身頃と、上記後身頃の両側に一端を連続した両袖とを備えた寝間着において、着用者の肩上面に配置される左右前身頃の上端縁と後身頃の上端縁、及びこの左右前身頃と後身頃の上端縁に連続する両袖の上端縁を、それぞれ前身頃側と後身頃側とに分離可能に形成するとともに、この左右前身頃の上端縁、後身頃の上端縁、及び両袖の左右前身頃側及び後身頃側の上端縁に係合部を設け、各対向位置にある係合部を係合することにより左右前身頃の上端縁と後身頃の上端縁、及び両袖の左右前身頃側の上端縁と後身頃側の上端縁とを接続可能とし、後身頃には裏面の幅方向中央に中央しるしを上下方向に設けたことを特徴とする寝間着。
【請求項２】
係合部の袖口側の一端には目印となる袖口しるしを設けたことを特徴とする請求項１の寝間着。
【請求項３】
後身頃は、中央しるしを上端から下端まで連続的に設けたことを特徴とする請求項１の寝間着。
【請求項４】
中央しるし及び／又は袖口しるしは、ステッチで形成したことを特徴とする請求項１、２、または３の寝間着。
【請求項５】
係合部は、スナップを複数個設けて成ることを特徴とする請求項１、または２の寝間着。
【発明の詳細な説明】
【技術分野】
【０００１】
本発明は、手術前後の患者や、腕を自由に動かすことが困難な者、寝たきりの者等が着用する寝間着に関するものである。
【背景技術】
【０００２】
従来より、手術の前後に患者が着用する衣服として、下記非特許文献１及び図５に示す如き寝間着が一般的に使用されている。この寝間着は左右前身頃と後身頃と両袖とから成る簡易な構成にて形成したものである。
【先行技術文献】
【特許文献】
【０００３】
【非特許文献１】「ＮＡＧＡＩＬＥＢＥＮ」、ナガイレーベン株式会社、１９９４年１月１日発行、Ｐ１９２、ＰＧ−１４００
【発明の開示】
【発明が解決しようとする課題】
【０００４】
しかしながら、上記寝間着の着脱作業の際には、患者の腕を筒状に形成した寝間着の袖に挿通したり、患者の腕を筒状の袖から抜き出したりしなければならない。そのため、患者の腕の曲げ伸ばしを行わなければならず、患者の腕を無理に引っ張ったり伸ばしたりしなければならない場合があり、そのような場合には患者の体に負担がかかるとともに、着脱作業に時間がかかり、作業効率の悪いものとなっていた。
【０００５】
また、手術後の患者に寝間着を着用させる場合には、まずベッド上に寝間着を広げてその上に患者を仰向けに寝かせた状態で着衣作業を行う。そのため、安全性の面から寝間着を広げたベッドの中央に患者を寝かせなければならないとともに、患者の体の各部位と寝間着の各部分とを対応させて着衣作業を行うためには、寝間着の後身頃の幅方向中央を中心として患者を配置する必要があり、患者をベッドの一方に偏って配置することは危険である。従って、着衣作業を安全で効率良く且つ迅速に行うには、ベッド、このベッド上に配置する寝間着、及びこの寝間着を着用する患者の各位置関係が重要となる。
【０００６】
しかし、従来の寝間着ではベッドの幅方向中央に沿って寝間着の後身頃の幅方向中央を配置するのに手間がかかるとともに、ベッドの幅方向中央に沿って後身頃の幅方向中央に配置されずに一方に偏って配置された場合や、後身頃の幅方向中央がベッドの幅方向中央に沿って配置されていても患者が後身頃の幅方向中央に配置されていない場合には、患者、寝間着、及びベッドの各位置関係にズレが生じる場合があった。そのため、寝間着と患者との位置関係を調整するために患者や寝間着を移動させなければならず、患者に負担がかかるとともに着衣作業が煩雑になるおそれがあるとともに、患者がベッドの幅方向中央に配置されず安全性に問題が生じるおそれがあった。
【０００７】
起き上がれない患者の場合には、患者の体を清拭する前後に、横向きに寝た患者の寝間着を着脱衣させる必要があるが、その際に寝間着にしわが寄らないように患者に着用させるには、何度も寝間着の位置等を修正する必要があった。
【０００８】
そこで、本発明は上述の如き課題を解決しようとするものであって、着脱時に患者の負担を軽減可能とするとともに、効率的な着脱作業を行うことができる寝間着を得ようとするものである。尚、本発明の寝間着は、病院内で患者が着用する病衣や術前術後衣、被介護者が着用する介護用寝間着、寝るときに着用する衣服等を意味するものである。
【課題を解決するための手段】
【０００９】
上述の如き課題を解決するため、本発明は後身頃と、この後身頃の両側に連続した左右前身頃と、上記後身頃の両側に一端を連続した両袖とを備えたことを前提とするものである。
【００１０】
そして、着用者の肩上面に配置される左右前身頃の上端縁と後身頃の上端縁、及びこの左右前身頃と後身頃の上端縁に連続する両袖の上端縁を、それぞれ左右前身頃側と後身頃側とに分離可能に形成するとともに、この左右前身頃の上端縁、後身頃の上端縁、及び両袖の前身頃側及び後身頃側の上端縁に係合部を設け、各対向位置にある係合部を係合することにより左右前身頃の上端縁と後身頃の上端縁、及び両袖の左右前身頃側の上端縁と後身頃側の上端縁とを筒状に接続可能としている。
【００１１】
上記の如く形成することにより、寝間着の着脱時において、左右前身頃の上端縁と後身頃の上端縁、及び両袖の前身頃側の上端縁と後身頃側の上端縁とをそれぞれ分離することによって、左右前身頃と後身頃、及び筒状となっている両袖を展開して患者の肩及び腕を容易に被覆又は露出させることができる。そのため、患者に無理な姿勢を強いることなく着脱作業を行うことができ、着脱時の患者の負担を軽減することができるとともに、着脱作業を容易に行うことが可能となる。尚、上記係合部は面ファスナーやファスナー、スナップ等にて形成することができる。
【００１２】
また、後身頃には裏面の幅方向中央に中央しるしを上下方向に設けている。尚、本発明における上下方向とは、寝間着の着用者の身長方向を意味するものであって、上方を着用者の頭部側とするとともに、下方を着用者の足側としている。このように後身頃の幅方向中央に目印となる中央しるしを設けているため、ベッドの幅方向中央に沿って上記中央しるしを配置することにより、ベッドの幅方向中央に後身頃の幅方向中央を容易に配置することができる。そのため、寝間着をベッド上の的確な位置に迅速に配置することが可能となる。
【００１３】
尚、本発明の中央しるしは、後身頃の上端から下端まで連続的に設けたものであっても、断続的に設けたものであってもよい。また、この中央しるしは、例えばステッチ、捺染等のプリントなどによって形成することが可能である。尚、後身頃は、床ずれ防止の観点から、一枚布であることが好ましい。
【００１４】
また、着用者の背骨が上記中央しるしに沿うよう、ベッド上に配置した寝間着に着用者を仰向けに寝かせることにより、着用者を後身頃の幅方向中央に沿って配置することができる。そのため、寝間着を患者等の着用者に着用させる際に着用者の体の各部位と寝間着の各部分とを即座に対応させることが可能となり、着衣作業を迅速且つ効率良く行うことが可能となる。
【００１５】
また、上記係合部の袖口側の一端に、各対向位置に目印となる袖口しるしを設けたものであってもよい。このように袖口側の一端に袖口しるしを設けることにより、対向する袖口しるしどうしを突き合わせた状態で対向する係合部を係合することにより、この係合部を袖口側から容易且つ確実に係合することができる。そのため、寝間着の着脱作業を迅速且つ効率良く行うことができる。また、この袖口しるしは、例えばステッチ、捺染等のプリントなどによって形成することができる。
【００１６】
また、後身頃は、中央しるしを上端から下端まで連続的に設けたものであってもよい。このように中央しるしを連続的に設けることにより、ベッド上に広げた寝間着の中央しるしとベッドとの位置関係を容易に把握することができるため、ベッドの幅方向中央に中央しるしを容易に配置することが可能となるとともに、中央しるしに沿って着用者の背骨を容易に配置することが可能となる。
【００１７】
また、中央しるし及び／又は袖口しるしは、ステッチで形成したものであっても良い。このように中央しるしや袖口しるしをステッチにて形成することにより、中央しるしや袖口しるしの耐洗濯性、及び生産性の向上を図ることができる。また、上記中央しるしをステッチにて形成する場合には、見やすさの点から、幅が１〜３ｃｍ程度の振りミシンが好ましい。
【００１８】
また、係合部は、スナップを複数個設けたものであってもよい。中でも、合成樹脂製スナップは、耐久性や耐洗濯性に優れるため好ましい。
【発明の効果】
【００１９】
本発明は上述の如く構成したものであるから、寝間着の着脱時において、分離した左右前身頃の上端縁及び後身頃側上端縁から着用者の肩及び腕を容易に被覆又は露出させることができるため、着用者に無理な姿勢を強いることなく着脱作業を行うことができる。そのため、着脱時の着用者の負担を軽減することができるとともに、着脱作業を容易に行うことができる。
【００２０】
また、後身頃には裏面の幅方向中央に中央しるしを上下方向に設けることによりベッドの幅方向中央に後身頃の幅方向中央を容易に配置することができる。そのため、寝間着をベッド上の的確な位置に迅速に配置することが可能となる。また、着用者の背骨が上記中央しるしに沿うよう、ベッド上に配置した寝間着に着用者を仰向けに寝かせることにより、着用者を後身頃の幅方向中央に沿って配置することができる。
【００２１】
そのため、寝間着を着用者に着用させる際に着用者の体の各部位と寝間着の各部分とを即座に対応させることが可能となり、着衣作業を迅速且つ効率良く行うことが可能となる。また、ベッドの幅方向中央に広げた中央しるしに沿って着用者を寝かせることにより、ベッドの幅方向中央に着用者を確実に配置することができるため、着用者をベッド上に安全に配置することができる。
【図面の簡単な説明】
【００２２】
【図１】本発明の実施例１において左右前身頃を展開した状態を示す平面図。
【図２】実施例１の左袖を展開した状態を示す平面図。
【図３】実施例１の左右前身頃及び両袖を展開した状態を示す平面図。
【図４】袖口しるしの部分拡大斜視図。
【図５】従来例を示す平面図。
【実施例１】
【００２３】
本発明の実施例１について説明すると、図１に示す如く、本実施例は左右前身頃(1)(2)と、後身頃(3)と、両袖(4)(5)とから成り浴衣状に形成した寝間着(22)である。本実施例について図１〜４にて詳細に説明すると、図１に示す如く左右前身頃(1)(2)の各一側(6)は後身頃(3)の両側とそれぞれ縫い合わされており、この左右前身頃(1)(2)を図１に示す如くそれぞれ左右に展開することによって着用者(23)前面を開放可能とするとともに、図２に示す如く左右前身頃(1)(2)を着用者(23)前面で打ち合わせることにより、着用者(23)前面を被覆可能としている。
【００２４】
また、従来の寝間着では前身頃の上端縁と後身頃の上端縁とを縫い合わせることにより、前身頃の上端縁と後身頃の上端縁とを連続して形成しているが、本実施例では図１、２に示す如く上記左右前身頃(1)(2)の上端縁(7)と後身頃(3)の上端縁(8)とを分離して形
成している。また、左右前身頃(1)(2)の両側にはそれぞれ一対の紐体(24)の一端を固定し、図２に示す如く右前身頃(2)と左前身頃(1)とを打ち合わせた際に各々対向する紐体(24)を結ぶことによって、左右前身頃(1)(2)の打ち合わせ状態を保つものである。
【００２５】
また、左右前身頃(1)(2)と後身頃(3)との間には、右袖(5)及び左袖(4)を配置している。そしてこの左右の袖(4)(5)は、図２、３に示す如く左右前身頃(1)(2)の上端縁(7)及び後身頃(3)の上端縁(8)にそれぞれ連続して各袖(4)(5)の上端縁(9)を袖(4)(5)の長さ方向に直線状に分離して筒状の袖(4)(5)を展開し、この分離によって形成された互いに対向する各縁を、一方分離縁(10)及び他方分離縁(11)としている。
【００２６】
上記の如く左右前身頃(1)(2)の上端縁(7)と後身頃(3)の上端縁(8)とを分離するとともに両袖(4)(5)の上端縁(9)を分離することにより、図２に示す如く、左前身頃(1)の上端縁(7)と左袖(4)の一方分離縁(10)とで形成された左前身頃側上端縁(12)が、後身頃(3)の上端縁(8)と左袖(4)の他方分離縁(11)とで形成された左後身頃側上端縁(13)と完全に分離するものとなる。また同様に、右前身頃(2)の上端縁(7)と右袖(5)の一方分離縁(10)とで形成された右前身頃側上端縁(14)が、後身頃(3)の上端縁(8)と右袖(5)の他方分離縁(11)とで形成された右後身頃側上端縁(15)と分離するものとなる。
【００２７】
そして、上記の如く形成した左右前身頃側上端縁(12)(14)及び左右後身頃側上端縁(13)(15)には、図２、３に示す如くそれぞれスナップ(16)を同一直線上に複数個固定配置し、これにより本発明の係合部(17)を構成している。そして、上記係合部(17)の袖口(18)側の一端には、図３、４に示す如く各対向位置に目印となる袖口しるし(20)をステッチにて形成している。
【００２８】
このように袖口(18)側の一端に袖口しるし(20)を設けることにより、対向する袖口しるし(20)どうしを突き合わせた状態で対向する係合部(17)を係合することによって、この係合部(17)を袖口(18)側から容易且つ確実に係合することができる。そのため、スナップ(16)の掛け違えを防止して各対向位置にあるスナップ(16)を迅速且つ正確に係合することが可能となり、寝間着(22)の着脱作業を迅速且つ効率良く行うことができる。
【００２９】
そして、左前身頃側上端縁(12)の係合部(17)と左後身頃側上端縁(13)の係合部(17)、及び右前身頃側上端縁(14)の係合部(17)と右後身頃側上端縁(15)の係合部(17)とを袖口(18)側から順次係合することにより、左前身頃側上端縁(12)と左後身頃側上端縁(13)、及び右前身頃側上端縁(14)と右後身頃側上端縁(15)とをそれぞれ着脱自在に接続することができる。
【００３０】
また、後身頃(3)の着用者(23)側となる裏面(25)には、図１に示す如く後身頃(3)の幅方向中央に中央しるし(21)を、ステッチにて後身頃(3)の上端から下端まで連続的且つ直線的に設けている。そのため、上記中央しるし(21)をベッドの幅方向中央に沿って配置することにより、ベッドの幅方向中央に後身頃(3)の幅方向中央を容易に配置することができる。従って、寝間着(22)をベッド上の的確な位置に広げることが可能となる。
【００３１】
また、上記の如くベッド上に広げた寝間着(22)の後身頃(3)上に着用者(23)を寝かせる際に、上記中央しるし(21)に沿って着用者(23)の背骨が位置するよう着用者(23)をベッド上に仰向けに寝かせることにより、着用者(23)が後身頃(3)の幅方向中央、及びベッドの幅方向中央に位置するものとなる。そのため、寝間着(22)を着用者(23)に着用させる際に、着用者(23)の体の各部位と寝間着(22)の各部分とを即座に対応させることができ、着衣作業を効率良く行うことが可能となるとともに、着用者(23)をベッドの側方に偏ることなく中央に安全に寝かせることができる。
【００３２】
次に、上記の如く構成した寝間着(22)の着脱方法について以下に説明する。着用者(23)である手術後の患者に本実施例の寝間着(22)を着用させる場合には、図１に示す如くまずベッド上に寝間着(22)の左右前身頃(1)(2)をそれぞれ左右に広げるとともに、後身頃(3)の中央しるし(21)がベッドの幅方向中央に位置するよう配置する。
【００３３】
そして、上記の如く左右前身頃(1)(2)を展開した状態で、図３に示す如く左前身頃側上端縁(12)と左後身頃側上端縁(13)とを分離するとともに、右前身頃側上端縁(14)と右後身頃側上端縁(15)とを分離し、左右の他方分離縁(11)をそれぞれ下方に展開する。これにより、図３に示す如く左右前身頃(1)(2)及び左右の袖(4)(5)が平面的に展開され、後身頃(3)の裏面(25)が露出した状態となる。そしてこの後身頃(3)の中央しるし(21)に沿って患者の背骨が位置するよう、患者を後身頃(3)上に仰向けに寝かせる。
【００３４】
これにより、患者を後身頃(3)の幅方向中央に寝かせることができるため、患者の体や寝間着(22)を移動させることなく、患者の体の各部位を寝間着(22)の各部分に即座に対応することができ、着衣作業を迅速且つ効率的に行うことが可能となる。そして、図３の鎖線にて示す如く、着用者(23)の両腕を、左右の袖(4)(5)の一方分離縁(10)側に配置する。
【００３５】
次に、上記一方分離縁(10)に各々対応する他方分離縁(11)を、着用者(23)の両腕を介して一方分離縁(10)の上面に配置する。そして対向する一方分離縁(10)の係合部(17)と他方分離縁(11)の係合部(17)とをそれぞれ係合することにより、患者の両腕を左右の袖(4)(5)によってそれぞれ筒状に被覆することができる。
【００３６】
次に、左前身頃側上端縁(12)の係合部(17)と左後身頃側上端縁(13)の係合部(17)、及び右前身頃側上端縁(14)の係合部(17)と右後身頃側上端縁(15)の係合部(17)とをそれぞれ係合して前身頃の上端と後身頃(3)の上端とをそれぞれ接続する。そして、左右前身頃(1)(2)を患者の前面中央にて打ち合わせるとともに、各対向する一対の紐体(24)をそれぞれ結ぶことにより患者の前面を左右前身頃(1)(2)によって被覆する。これにより、本実施例の寝間着(22)の着衣作業が完了する。
【００３７】
そして上記の如く着用した寝間着(22)を脱衣する際には、まず各紐体(24)を解いて左右前身頃(1)(2)を開放するとともに、各々係合していた右前身頃側上端縁(14)の係合部(17)と右後身頃側上端縁(15)の係合部(17)、及び左前身頃側上端縁(12)の係合部(17)と左後身頃側上端縁(13)の係合部(17)との係合をそれぞれ解除する。そして、図３に示す如く左右前身頃(1)(2)を左右に展開するとともに両袖(4)(5)の一方分離縁(10)と他方分離縁(11)とを上下に展開する。これにより、患者の腕及び前面全体を露出することができ、患者の腕を曲げたり無理な負担を強いることなく、また複雑な手数を要することなく容易に寝間着(22)を脱衣することが可能となる。
【００３８】
本実施例は上記の如く、本発明の一例として手術の前後に患者が着脱する場合に使用するものであるが、他の異なる実施例ではこれに限らず、腕を動かすことが困難な入院患者や介護が必要な要介護者等に対しても使用することが可能である。
【符号の説明】
【００３９】
１  左前身頃
２  右前身頃
３  後身頃
４，５  袖
７，８，９  上端縁
１６  スナップ
１７  係合部
１８  袖口
２０  袖口しるし
２１  中央しるし
２３  着用者
【図１】
2013119687.tif 000003
【図２】
2013119687.tif 000004
【図３】
2013119687.tif 000005
【図４】
2013119687.tif 000006
【図５】
2013119687.tif 000007